(57)【要約】【課題】ケース本体の上下方向および前後方向の大型化を抑制しつつ、左右方向に水分吸着部を大きくすることが可能なショーケースを提供する。【解決手段】このショーケース１００は、左右方向に延びるように形成され、商品が陳列される陳列棚２と、空気が流通する流路部３および４とを含むケース本体１と、流路部３の内部に配置される蒸発器２１と、流路部４の内部に配置される凝縮器１２とを備える。また、ショーケース１００は、流路部３と流路部４とに連通可能な位置に配置されるとともに、ケース本体１の左右方向に延びる回転軸線Ａ周りに回転可能に配置される水分吸着部３０を備える。【選択図】図３
2015205129.tif 000002
【特許請求の範囲】
【請求項１】
左右方向に延びるように形成され、商品が陳列される陳列棚と、空気が流通する蒸発器側流路部および凝縮器側流路部とを含むケース本体と、
前記蒸発器側流路部の内部に配置される蒸発器と、
前記凝縮器側流路部の内部に配置される凝縮器と、
前記蒸発器側流路部と前記凝縮器側流路部とに連通可能な位置に配置されるとともに、前記ケース本体の前記左右方向に延びる回転軸線周りに回転可能にケース本体内に配置される水分吸着部と、を備える、ショーケース。
【請求項２】
前記水分吸着部は、前記ケース本体の前記左右方向に延びるように形成されている、請求項１に記載のショーケース。
【請求項３】
前記ケース本体は、前記蒸発器側流路部と前記凝縮器側流路部とを隔てるとともに、前記水分吸着部が配置される孔部を有する壁部をさらに含むとともに、前記回転軸線と直交する断面において矩形形状を有しており、
断面において矩形形状を有する前記水分吸着部は、前記孔部に配置された状態で、前記壁部と前記水分吸着部との隙間に位置するように設けられた仕切り部を含む、請求項１または２に記載のショーケース。
【請求項４】
前記水分吸着部は、前記回転軸線と直交する方向に延び、空気が流通する流路部を含み、
前記仕切り部は、前記水分吸着部において、前記流路部の流入口側および流出口側の少なくともいずれか一方で、前記流路部の延びる方向と略同じ方向に延びるように設けられている、請求項３に記載のショーケース。
【請求項５】
前記仕切り部は、前記水分吸着部において、前記流路部の流入口側および流出口側で、前記流路部の延びる方向と略同じ方向にそれぞれ延びるように一対設けられている、請求項４に記載のショーケース。
【請求項６】
前記水分吸着部は、前記水分吸着部の中央において前記左右方向に延びる境界部をさらに含み、
前記流路部は、前記境界部の一方側に形成され、前記蒸発器側流路部または前記凝縮器側流路部のいずれか一方と連通される第１流路部と、前記境界部の他方側に形成され、前記蒸発器側流路部または前記凝縮器側流路部のいずれか他方と連通される第２流路部とを含み、前記水分吸着部が前記回転軸線周りに回転することによって、前記第１流路部の連通先と前記第２流路部の連通先とが切り替わるように構成されており、
前記仕切り部は、前記境界部に沿って前記左右方向に延びるように設けられている、請求項４または５のいずれか１項に記載のショーケース。
【発明の詳細な説明】
【技術分野】
【０００１】
この発明は、ショーケースに関し、特に、水分吸着部を備えるショーケースに関する。
【背景技術】
【０００２】
従来、水分吸着部を備えるショーケースが知られている（たとえば、特許文献１参照）。
【０００３】
上記特許文献１には、冷風用熱交換器が内部に配置される除湿空間と温水ヒータが内部に配置される再生空間とを含むケース本体と、ケース本体内に配置され、除湿空間と再生空間とにわたって回転変位可能に構成された除湿材とを備える冷凍・冷蔵ショーケースが開示されている。この特許文献１に記載の冷凍・冷蔵ショーケースでは、所定時間毎に除湿材を半回転させて、除湿空間に配置される除湿材の流路と再生空間に配置される除湿材の流路とを切り替えるように構成されている。これにより、除湿空間において吸着された水分が、温水ヒータによって暖められた空気により再生空間において除去されることによって、除湿材が再生されるように構成されている。なお、除湿材は、空気の流通方向であるケース本体の前後方向に延びる回転軸線に沿って回転するように構成されている。
【先行技術文献】
【特許文献】
【０００４】
【特許文献１】特開２００６−２９７４３号公報
【発明の概要】
【発明が解決しようとする課題】
【０００５】
しかしながら、上記特許文献１に記載された冷凍・冷蔵ショーケースでは、除湿材がケース本体の前後方向に延びる回転軸線に沿って回転するように構成されている。このため、除湿材を前後方向以外のケース本体の左右方向に大きくなるように形成する場合には、除湿材を前後方向に延びる回転軸線に沿って回転させるという制約から、左右方向に大きくした分、ケース本体の左右方向だけでなく上下方向にも除湿材が配置される空間を確保する必要がある。このため、上記特許文献１では、ケース本体の大型化を抑制しつつ、左右方向に除湿材を大きくするのが困難であるという問題点がある。
【０００６】
この発明は、上記のような課題を解決するためになされたものであり、この発明の１つの目的は、ケース本体の上下方向および前後方向の大型化を抑制しつつ、左右方向に水分吸着部を大きくすることが可能なショーケースを提供することである。
【課題を解決するための手段】
【０００７】
この発明の一の局面によるショーケースは、左右方向に延びるように形成され、商品が陳列される陳列棚と、空気が流通する蒸発器側流路部および凝縮器側流路部とを含むケース本体と、蒸発器側流路部の内部に配置される蒸発器と、凝縮器側流路部の内部に配置される凝縮器と、蒸発器側流路部と凝縮器側流路部とに連通可能な位置に配置されるとともに、ケース本体の左右方向に延びる回転軸線周りに回転可能にケース本体内に配置される水分吸着部と、を備える。
【０００８】
この発明の一の局面によるショーケースでは、上記のように、ケース本体の左右方向に延びる回転軸線周りに回転可能に水分吸着部をケース本体内に配置する。これにより、ケース本体の前後方向に延びる回転軸線周りに回転する場合と異なり、水分吸着部を左右方向に大きくしたとしても、ケース本体を左右方向以外の方向（上下方向および前後方向）に大型化させる必要がない。これにより、ケース本体の上下方向および前後方向の大型化を抑制しつつ、左右方向に水分吸着部を大きくすることができる。また、水分吸着部を蒸発器側流路部と凝縮器側流路部とに連通可能な位置に配置することによって、蒸発器側流路部および凝縮器側流路部を流通する空気の水分を調整することができる。
【０００９】
上記一の局面によるショーケースにおいて、好ましくは、水分吸着部は、ケース本体の左右方向に延びるように形成されている。このように構成すれば、ケース本体の左右方向の広範囲で、蒸発器側流路部および凝縮器側流路部を流通する空気の水分を調整することができる。
【００１０】
上記一の局面によるショーケースにおいて、好ましくは、ケース本体は、蒸発器側流路部と凝縮器側流路部とを隔てるとともに、水分吸着部が配置される孔部を有する壁部をさらに含むとともに、回転軸線と直交する断面において矩形形状を有しており、断面において矩形形状を有する水分吸着部は、孔部に配置された状態で、壁部と水分吸着部との隙間に位置するように設けられた仕切り部を含む。このように構成すれば、断面において矩形形状の水分吸着部を回転させることによって必然的に生じる水分吸着部と壁部との隙間を、仕切り部により塞ぐことができる。これにより、凝縮器側流路部および蒸発器側流路部を流通する空気が、孔部を介して蒸発器側流路部側および凝縮器側流路部側にそれぞれ漏れ出ることに起因して各々を流通する空気が混合されるのを抑制することができる。この結果、蒸発器側流路部および凝縮器側流路部の気密性を向上させることができるので、水分吸着部における水分の吸着および水分の除去の能力を向上させることができる。また、仕切り部を水分吸着部に設けることによって、壁部に仕切り部を設ける場合と比べて、仕切り部が水分吸着部に接触するのを抑制することができる。これにより、水分吸着部が磨耗するのを抑制することができる。
【００１１】
この場合、好ましくは、水分吸着部は、回転軸線と直交する方向に延び、空気が流通する流路部を含み、仕切り部は、水分吸着部において、流路部の流入口側および流出口側の少なくともいずれか一方で、流路部の延びる方向と略同じ方向に延びるように設けられている。このように構成すれば、仕切り部が流路部の流入口側に設けられ場合には、仕切り部により、流路部の流入口に混合された空気が流入するのを抑制することができる。また、仕切り部が流路部の流出口側に設けられ場合には、仕切り部により、流路部の流出口から流出した空気が混合されるのを抑制することができる。これらにより、仕切り部により、空気が混合されるのをより抑制することができるので、蒸発器側流路部および凝縮器側流路部の気密性をより向上させることができる。この結果、水分吸着部における水分の吸着および吸着された水分の除去の能力をより向上させることができる。また、仕切り部を流路部の延びる方向と略同じ方向に延びるように設けることによって、仕切り部により流路部を流通する空気の流れが阻害されるのを抑制することができる。
【００１２】
上記水分吸着部が仕切り部を含む構成において、好ましくは、仕切り部は、水分吸着部において、流路部の流入口側および流出口側で、流路部の延びる方向と略同じ方向にそれぞれ延びるように一対設けられている。このように構成すれば、流路部の流入口側の仕切り部により、流路部の流入口に混合された空気が流入するのを抑制することができるとともに、流路部の流出口側の仕切り部により、流路部の流出口から流出した空気が混合されるのを抑制することができる。
【００１３】
上記仕切り部が流路部の延びる方向と略同じ方向に延びるように設けられている構成において、好ましくは、水分吸着部は、水分吸着部の中央において左右方向に延びる境界部をさらに含み、流路部は、境界部の一方側に形成され、蒸発器側流路部または凝縮器側流路部のいずれか一方と連通される第１流路部と、境界部の他方側に形成され、蒸発器側流路部または凝縮器側流路部のいずれか他方と連通される第２流路部とを含み、水分吸着部が回転軸線周りに回転することによって、第１流路部の連通先と第２流路部の連通先とが切り替わるように構成されており、仕切り部は、境界部に沿って左右方向に延びるように設けられている。このように構成すれば、仕切り部により水分吸着部と壁部との隙間を塞ぎつつ、第１流路部および第２流路部において連通先（蒸発器側流路部または凝縮器側流路部）を各々切り替えることができる。これにより、空気が混合されるのを抑制しつつ、蒸発器側流路部と連通した際に吸着された水分を、凝縮器側流路部と連通した際に除去することができる。
【発明の効果】
【００１４】
本発明によれば、上記のように、ケース本体の上下方向および前後方向の大型化を抑制しつつ、左右方向に水分吸着部を大きくすることができる。
【図面の簡単な説明】
【００１５】
【図１】本発明の一実施形態によるショーケースの概略的な構成を示した模式図である。
【図２】本発明の一実施形態によるショーケースの冷凍機ユニットの構造を示した模式図である。
【図３】図１の２００−２００線に沿った断面図である。
【図４】本発明の一実施形態によるショーケースの水分吸着部周辺を示した拡大断面図である。
【図５】本発明の一実施形態による水分吸着部を示した斜視図である。
【発明を実施するための形態】
【００１６】
以下、本発明を具体化した実施形態を図面に基づいて説明する。
【００１７】
図１〜図５を参照して、本発明の一実施形態によるショーケース１００の構成について説明する。
【００１８】
本実施形態によるショーケース１００は、図１に示すように、図示しない商品を陳列して販売するオープンタイプ（開放型）のケース本体１を備えている。
【００１９】
また、ショーケース１００は、図２に示すように、所定の冷媒を用いて所定の冷凍サイクルを形成可能な冷凍機ユニット１０を備えている。
【００２０】
冷凍機ユニット１０は、圧縮機１１と、凝縮器１２とを含んでいる。また、冷凍機ユニット１０は、膨張手段２０と、蒸発器２１とを含んでいる。また、冷凍機ユニット１０の各々の部材は、冷媒が流通する冷媒配管１０ａを介して接続されている。
【００２１】
圧縮機１１は、冷凍サイクルにおける低圧側から吸入されたガス冷媒を圧縮して高圧側に吐出する機能を有している。凝縮器１２は、内部を流通する過熱ガス状態の冷媒を送風機１３（図３参照）により送風される凝縮器側空気を用いて冷却する機能を有している。これにより、凝縮器１２を通過した冷媒は凝縮（液化）される。そして、冷媒は、冷媒配管１０ａを介して膨張手段２０に流入される。
【００２２】
膨張手段２０は、凝縮器１２で冷却（液化）された冷媒を絞り膨張（減圧）させて蒸発器２１に供給する機能を有している。蒸発器２１は、膨張手段２０から供給された気液二相状態の冷媒を蒸発（気化）させることによって、送風機２２（図３参照）により送風される蒸発器側空気を冷却する機能を有している。また、蒸発器２１における蒸発後の冷媒は、冷媒配管１０ａを介して圧縮機１１に戻される。
【００２３】
このように、冷凍機ユニット１０では、圧縮機１１から吐出された冷媒が、矢印Ｐ方向に沿って、凝縮器１２、膨張手段２０、蒸発器２１の順に流れて圧縮機１１に帰還されるサイクルを繰り返すように構成されている。この際、ショーケース１００では、冷凍機ユニット１０を運転することによって陳列棚２が所定の冷却温度に維持管理されるように構成されている。
【００２４】
次に、図１および図３〜図５を参照して、ケース本体１の構成について説明する。
【００２５】
ケース本体１は、図１に示すように、左右方向（Ｙ方向）よりも前後方向（Ｘ方向）に短くなるように形成されている。また、ケース本体１は、図３に示すように、商品が陳列される複数の陳列棚２と、空気が流通する流路部３および４とが設けられている。この複数の陳列棚２は、上下方向（Ｚ方向）に所定の間隔を隔てて配置されている。また、複数の陳列棚２、流路部３および４は、共に、ケース本体１の左右方向（Ｙ方向、図１参照）に延びるように形成されている。なお、流路部３および４は、それぞれ、本発明の「蒸発器側流路部」および「凝縮器側流路部」の一例である。
【００２６】
また、上記した圧縮機１１および凝縮器１２（図２参照）は、流路部３内に配置されている。また、上記した膨張手段２０および蒸発器２１（図２参照）は、流路部４内に配置されている。
【００２７】
流路部３は、陳列棚２の下方（Ｚ２側）に設けられた第１流路部３ａと、陳列棚２の後方（Ｘ２側）に設けられた第２流路部３ｂとから構成されている。第１流路部３ａは、前後方向（Ｘ方向）に延びるように形成されているとともに、第２流路部３ｂは、上下方向（Ｚ方向）に延びるように形成されている。
【００２８】
流路部４は、第１流路部３ａの下方に設けられた第１流路部４ａと、第２流路部３ｂの後方に設けられた第２流路部４ｂとから構成されている。第１流路部４ａは、第１流路部３ａに沿って前後方向に延びるように形成されているとともに、第２流路部４ｂは、第２流路部３ｂに沿って上下方向に延びるように形成されている。
【００２９】
ここで、流路部３では、空気（蒸発器側空気）は、ケース本体１の前部（Ｘ１側）に設けられた取込口１ａを介して流路部３の第１流路部３ａに流入する。そして、蒸発器側空気は、第１流路部３ａを通過して、流路部３の第２流路部３ｂに配置された蒸発器２１内の冷媒により冷却された状態で、蒸発器２１の下流側（上側、Ｚ１側）に流出される。その後、冷却された蒸発器側空気は、後述する供給孔５ａから複数の陳列棚２に供給されるとともに、ケース本体１の陳列棚２の上方（Ｚ１側）に設けられた噴出口１ｂから下方（Ｚ２側）に向けて流出される。なお、噴出口１ｂから流出された蒸発器側空気は、陳列棚２の前方を流れることによって、陳列棚２への外部からの空気の進入を抑制するエアカーテンとして機能するように構成されている。そして、複数の陳列棚２に供給された空気およびエアカーテンとしての空気の一部は、取込口１ａから流路部３内に再流入する。ここで、取込口１ａから流路部３内に流入する空気には、噴出口１ｂなどから流出された空気よりも多くの水分を含有する外部の空気（外気）が含まれている。
【００３０】
また、流路部４では、空気（凝縮器側空気）は、ケース本体１の前部（Ｘ１側）および下部（Ｚ２側）に設けられたフィルタ部１ｃを介して、流路部４の第１流路部４ａの凝縮器１２に流入する。そして、凝縮器側空気は、凝縮器１２によって暖められた状態で、凝縮器１２の下流側に流出される。その後、凝縮器１２により暖められた凝縮器側空気は、流路部４の第２流路部４ｂに流入し、ケース本体１の上部に設けられた排出孔１ｄを介してケース本体１の外部に放出される。
【００３１】
また、ケース本体１は、断熱性を有する断熱壁５、６ａ、６ｂ、７ａおよび７ｂを含んでいる。ここで、上下方向（Ｚ方向）に延びる断熱壁５は、上下方向に延びる陳列棚２の後部と第２流路部３ｂとを互いに隔てている。これにより、陳列棚２と第２流路部３ｂとは熱の流通が制限されている。また、断熱壁５には、複数の陳列棚２の各々に蒸発器側空気を供給するための供給孔５ａが設けられている。
【００３２】
また、前後方向に延びる断熱壁６ａは、前後方向に延びる第１流路部３ａと第１流路部４ａとを隔てている。また、上下方向に延びる断熱壁６ｂは、上下方向に延びる第２流路部３ｂと第２流路部４ｂとを隔てている。この断熱壁６ａおよび６ｂにより、流路部３と流路部４との間の熱の流通が制限されている。なお、断熱壁６ｂは、本発明の「壁部」の一例である。
【００３３】
この結果、流路部３の第２流路部３ｂと流路部４の第２流路部４ｂとは、ケース本体１の陳列棚２の後側（Ｘ２側）において、第２流路部３ｂが前側（Ｘ１側）、第２流路部４ｂが後側にそれぞれ位置した状態で前後方向（Ｘ方向）に隣接するように形成されている。
【００３４】
また、前後方向に延びる断熱壁７ａは、前後方向に延びる流路部４の下部と外部とを隔てている。また、上下方向に延びる断熱壁７ｂは、上下方向に延びる流路部４の後部と外部とを隔てている。この断熱壁７ａおよび７ｂにより、流路部４とケース本体１の外部との間の熱の流通が制限されている。
【００３５】
また、断熱壁６ｂには、断熱壁６ｂを貫通する孔部６ｃが形成されている。これにより、孔部６ｃは、第２流路部３ｂと第２流路部４ｂとを接続するように形成されている。この孔部６ｃは、流路部３の第２流路部３ｂにおける蒸発器２１よりも上流側と、凝縮器１２よりも下流側の流路部４の第２通路部４ｂとを接続するように形成されている。また、孔部６ｃは、ケース本体１の左右方向（図１参照）に延びるように形成されている。
【００３６】
また、図４に示すように、断熱壁６ｂの孔部６ｃには、流通する空気の水分の吸着と、吸着された水分の除去を行う水分吸着部３０が配置されている。この水分吸着部３０は、流路部３の第２流路部３ｂと流路部４の第２流路部４ｂとにまたがるように孔部６ｃに配置されている。つまり、水分吸着部３０は、陳列棚２の後側（Ｘ２側）において、流路部３における蒸発器２１よりも上流側に配置されているとともに、流路部４の凝縮器１２よりも下流側に配置されている。
【００３７】
ここで、本実施形態では、水分吸着部３０は、左右方向（Ｙ方向）と直交する断面（ＸＺ断面）において略正方形形状（矩形形状）を有するとともに、左右方向（Ｙ方向）に長い直方体形状を有している。なお、水分吸着部３０は、図１に示すように、流路部３および４が形成されている左右方向の領域の略全体に亘って、左右方向に延びるように形成されている。そして、水分吸着部３０は、左右方向に延びる回転軸線Ａ周りに回転可能に構成されている。この回転軸線Ａは、断面において矩形形状の水分吸着部３０の略中心を通るように左右方向に延びている。また、水分吸着部３０は、モータなどの図示しない駆動部により、所定の時間毎に半回転（約１８０度回転）するように構成されている。
【００３８】
なお、これ以降、回転状態（回転中）の水分吸着部３０ではなく、静止状態の水分吸着部３０の構成について説明する。
【００３９】
静止状態において、断面が矩形形状の水分吸着部３０の上辺（上面）および下辺（下面）は、Ｘ方向に延びるように形成されているとともに、水分吸着部３０の両側辺（側面）は、Ｚ方向に延びるように形成されている。そして、水分吸着部３０のＸ方向の略中央が、上下方向に延びる断熱壁６ｂのＸ方向の中央と略一致するように構成されている。
【００４０】
また、図５に示すように、水分吸着部３０は、複数の流路部３１を有している。この流路部３１は、上下方向（Ｚ方向）に延びるように形成されているとともに、Ｘ方向およびＹ方向に隣接するように形成されている。具体的には、水分吸着部３０は、水分吸着材を含む吸着層（図示せず）が表面にコーティングされた複数の金属製の板部材３２および３３と、水分吸着部３０の外側部を構成する板金製の筒状部３４とを含んでいる。そして、平板状の板部材３２と波状の板部材３３とに囲まれた複数の領域の各々が、空気が内部を流通する流路部３１として形成されている。なお、吸着層が表面にコーティングされた金属製の板部材３２および３３の代わりに、表面または内部に水分吸着材を含侵させたろ紙などの紙部材を用いてもよい。
【００４１】
なお、複数の板部材３２は、左右方向（Ｙ方向）および上下方向（Ｚ方向）に延びる平板形状を有している。また、複数の板部材３３は、上下方向に延びるとともに、Ｙ方向に沿って波形状が形成されている。そして、複数の平板状の板部材３２は、Ｘ方向に所定の間隔を隔てて配置されているとともに、各々の間に波状の板部材３３が配置されている。なお、平板状の板部材３２と波状の板部材３３との当接部分は、溶接などにより互いに固定されている。
【００４２】
また、流路部３１の下側（Ｚ２側）の流入口３１ａ（図４参照）から空気が流入するとともに、上側（Ｚ１側）の流出口３１ｂから空気が流出するように構成されている。つまり、流路部３１の下側が流路部３１の上流側になり、流路部３１の上側が流路部３１の下流側になるとともに、上下方向のうちの上方向（Ｚ１方向、流通方向）に空気が流通するように構成されている。
【００４３】
また、図４に示すように、ケース本体１の断熱壁６ｂの孔部６ｃにおける上下方向（Ｚ方向）の長さ（径）Ｌ１は、断面において略正方形形状の水分吸着部３０の対角線の長さＬ２よりも若干大きくなるように形成されている。また、流路部３の前側（Ｘ１側）の壁面（断熱壁５の後面）と流路部４の後側（Ｘ２側）の壁面（断熱壁７ｂの前面）との距離Ｌ３は、水分吸着部３０の対角線の長さＬ２よりも大きくなるように形成されている。これらにより、水分吸着部３０が回転軸線Ａ周りに回転した場合であっても、水分吸着部３０の回転軌道Ｂ内に断熱壁５、６ｂおよび７ｂが位置しない。この結果、水分吸着部３０と断熱壁５、６ｂおよび７ｂとが接触しないように構成されている。したがって、水分吸着部３０が断熱壁５、６ｂまたは７ｂに接触することに起因して水分吸着部３０が磨耗したり、後述する流路部３１が塞がれるのを抑制することが可能である。
【００４４】
また、本実施形態では、図４に示すように、水分吸着部３０には、断熱壁６ｂの孔部６ｃに配置された状態で、断熱壁６ｂと水分吸着部３０との隙間に位置する一対の仕切り部３５が設けられている。具体的には、一対の仕切り部３５は、左右方向（Ｙ方向）に長い長方形形状の板部材からなる。そして、一対の仕切り部３５は、図５に示すように、左右方向（Ｙ方向）が長手方向に、上下方向（Ｚ方向）が短手方向になるように配置されている。また、仕切り部３５は、水分吸着部３０の左右方向の略全体に亘って形成されている。
【００４５】
また、図４に示すように、仕切り部３５ａは、水分吸着部３０の前後方向（Ｘ方向）の略中央の上側に設けられている。また、仕切り部３５ａは、水分吸着部３０の流出口３１ｂ側（Ｚ１側）の面に対して略垂直に延びるように設けられている。仕切り部３５ｂは、前後方向の略中央の下側に設けられている。また、仕切り部３５ｂは、水分吸着部３０の流入口３１ａ側（Ｚ２側）の面に対して略垂直に延びるように設けられている。この結果、仕切り部３５ａおよび３５ｂは、上下方向に延びる断熱壁６ｂと同じ上下方向に延びるように形成されている。
【００４６】
ここで、仕切り部３５ａの水分吸着部３０とは反対側（上側、Ｚ１側）の端部と、仕切り部３５ｂの水分吸着部３０とは反対側（下側、Ｚ２側）の端部との上下方向（Ｚ方向）の距離Ｌ４は、断面において略正方形形状の水分吸着部３０の対角線の長さＬ２と略同じになるように形成されている。この結果、距離Ｌ４は、孔部６ｃの上下方向の長さＬ１よりも若干小さくなるように形成されている。これにより、仕切り部３５ａおよび３５ｂは、各々孔部６ｃと水分吸着部３０との上側の隙間および下側の隙間をそれぞれ埋めるように位置している。
【００４７】
また、水分吸着部３０の筒状部３４には、図５に示すように、一対の仕切り部３５を固定するための４つの固定部３６が設けられている。具体的には、４つの固定部３６ａ〜３６ｄは、筒状部３４のうち、右側（Ｙ１側）かつ上側（Ｚ１側）の端部、左側（Ｙ２側）かつ上側の端部、右側かつ下側（Ｚ２側）の端部、および、左側かつ下側の端部にそれぞれ形成されている。また、上側（Ｚ１側）の端部に設けられた固定部３６ａおよび３６ｂは、筒状部３４の上端部から上方向に延びるように半楕円状に形成されている。同様に、下側（Ｚ２側）の端部に設けられた固定部３６ｃおよび３６ｄは、筒状部３４の下端部から下方向に延びるように半楕円状に形成されている。なお、固定部３６は、半楕円形状の板金を筒状部３４に溶接などによって接合することによって形成してもよいし、筒状部３４自体の形状を固定部３６の形状を有する形状に予め形成してもよい。
【００４８】
また、仕切り部３５ａのＹ方向の両端部は、固定部３６ａおよび３６ｂに溶接などによってそれぞれ固定されている。同様に、仕切り部３５ｂのＹ方向の両端部は、固定部３６ｃおよび３６ｄに溶接などによってそれぞれ固定されている。この結果、一対の仕切り部３５が水分吸着部３０に固定されている。
【００４９】
また、４つの固定部３６は、共に、半楕円の頂点が前後方向（Ｘ方向）の略中央に位置するように形成されている。ここで、回転軸線Ａの固定部３６ａ（３６ｂ）の半楕円の頂点と固定部３６ｃ（３６ｄ）の半楕円の頂点との距離Ｌ５は、水分吸着部３０の対角線の長さＬ２よりも小さくなるように構成されている。
【００５０】
また、複数の流路部３１は、前後方向（Ｘ方向）の略中央で左右方向および上下方向に延びる板部材３２から構成される境界部３２ａを隔てて、Ｘ方向の一方側に配置される複数の第１流路部３７と、Ｘ方向の他方側に配置される複数の第２流路部３８とに分かれている。なお、境界部３２ａの直上および直下に、仕切り部３５ａおよび３５ｂがそれぞれ設けられている。
【００５１】
ここで、水分吸着部３０が左右方向に延びる回転軸線Ａ周りに半回転（約１８０度回転）することによって、流路部３１（第１流路部３７および第２流路部３８）の連通先が切り替わるように構成されている。たとえば、図４に示すように、複数の第１流路部３７がＸ１側に、複数の第２流路部３８がＸ２側にそれぞれ配置されている場合には、第１流路部３７は、流路部３の第２流路部３ｂと連通され、第２流路部３８は、流路部４の第２流路部４ｂと連通される。
【００５２】
ここで、仕切り部３５ａは、断熱壁６ｂと水分吸着部３０との隙間を埋めるように、水分吸着部３０の上面から孔部６ｃの上側内面に向かって上方向（Ｚ１方向）に延びるように配置される。また、仕切り部３５ｂは、断熱壁６ｂと水分吸着部３０との隙間を埋めるように、水分吸着部３０の下面から孔部６ｃの下側内面に向かって下方向（Ｚ２方向）に延びるように配置される。
【００５３】
そして、水分吸着部３０が回転軸線Ａ周りに半回転した後には、複数の第１流路部３７が上下が反転した状態でＸ２側に回転移動することによって、流路部４の第２流路部４ｂと連通される。また、複数の第２流路部３８が上下が反転した状態でＸ１側に回転移動することによって、流路部３の第２流路部３ｂと連通される。
【００５４】
ここで、仕切り部３５ｂは、断熱壁６ｂと水分吸着部３０との隙間を埋めるように、水分吸着部３０の上面から孔部６ｃの上側内面に向かって上方向に延びるように配置される。また、仕切り部３５ａは、断熱壁６ｂと水分吸着部３０との隙間を埋めるように、水分吸着部３０の下面から孔部６ｃの下側内面に向かって下方向に延びるように配置される。
【００５５】
この水分吸着部３０の半回転が所定の時間毎に行われることによって、複数の第１流路部３７の連通先と複数の第２流路部３８の連通先とが、流路部３および４の間で切り替わるように構成されている。なお、約１８０度の回転の前後で、第１流路部３７および第２流路部３８の延びる方向は上下方向で変化しない。
【００５６】
これにより、流路部３１（第１流路部３７または第２流路部３８）が流路部３と連通した際に、水分吸着材に蒸発器側空気の水分が吸着されることによって、水分吸着部３０の流路部３１から蒸発器側空気が乾燥した状態（除湿された状態）で流出される。これにより、水分吸着部３０よりも下流側（Ｚ１側）に位置する蒸発器２１に湿った空気が侵入するのが抑制される。
【００５７】
一方、水分吸着部３０が半回転して流路部３１（第１流路部３７または第２流路部３８）が流路部４と連通した際に、凝縮器１２によって暖められた凝縮器側空気が流路部３１を流通することにより、水分吸着材に吸着された水分が除去されて水分吸着材が再生されるとともに、除去された水分により湿った凝縮器側空気が、水分吸着部３０の流路部３１から流路部４に流出される。そして、この湿った凝縮器側空気がケース本体１の排出孔１ｄ（図３参照）から外部に排出される。
【００５８】
この水分の吸着および除去が所定の時間毎に繰り返されることによって、水分の吸着および水分の除去（水分吸着材の再生）が連続的に行われるように構成されている。
【００５９】
ここで、Ｚ１側の仕切り部３５により、流路部４側の湿った空気が断熱壁６ｂと水分吸着部３０の下流側（Ｚ１側）との隙間から流路部３側に侵入するのが抑制されることによって、暖かく湿った空気が蒸発器２１に流入するのが抑制される。この結果、蒸発器２１内での結露などが抑制される。さらに、Ｚ１側の仕切り部３５により、流路部３側の冷たい空気が断熱壁６ｂと水分吸着部３０の下流側との隙間から流路部４側に流出するのが抑制されることによって、冷たい空気が排出孔１ｄから排出されるのが抑制される。
【００６０】
さらに、Ｚ２側の仕切り部３５によって、流路部４側の暖かな空気と流路部３側の冷たい空気とが混合されるのが抑制される。
【００６１】
また、図４に示すように、水分吸着部３０に対して第２流路部３ｂの上流側（下側）および第２流路部４ｂの上流側（下側）には、それぞれ、水分吸着部３０に空気の流れを導くためのガイド部３９および４０が設けられている。具体的には、第２流路部３ｂ側のガイド部３９の下部３９ａは、第２流路部３ｂの前側（Ｘ１側）の内面（断熱壁５のＸ２側の面）に取り付けられている。同様に、第２流路部４ｂ側のガイド部４０の下部４０ａは、第２流路部４ｂの後側（Ｘ２側）の内面（断熱壁７ｂのＸ１側の面）に取り付けられている。このガイド部３９および４０は、水分吸着部３０に対応するように、左右方向に延びるように形成されている。
【００６２】
また、ガイド部３９の上部３９ｂは、水分吸着部３０側（上側）が流路部３の内側（Ｘ２側）に向かって傾斜するように形成されており、上部３９ｂの上端部が水分吸着部３０の前側かつ下側の端部近傍に位置している。同様に、ガイド部４０の上部４０ｂは、水分吸着部３０側（上側）が流路部４の内側（Ｘ１側）に向かって傾斜するように形成されており、上部４０ｂの上端部が水分吸着部３０の後側かつ下側の端部近傍に位置している。これにより、ガイド部３９および４０は、それぞれ、流路部３を流通する空気および流路部４を流通する空気の略全てを、水分吸着部３０にガイドするように構成されている。
【００６３】
また、水分吸着部３０に対して第２流路部３ｂの下流側（上側）には、水分吸着部３０の流路部３１から流出した空気を蒸発器２１に導くためのガイド部４１が設けられている。
【００６４】
本実施形態では、以下のような効果を得ることができる。
【００６５】
本実施形態では、上記のように、ケース本体１の左右方向（Ｙ方向）に延びる回転軸線Ａ周りに回転可能に水分吸着部３０をケース本体１内に配置する。これにより、ケース本体１の前後方向（Ｘ方向）に延びる回転軸線Ａ周りに回転する場合と異なり、水分吸着部３０を左右方向に大きくしたとしても、ケース本体１を左右方向以外の方向（上下方向（Ｚ方向）および前後方向）に大型化させる必要がない。これにより、ケース本体１の上下方向および前後方向の大型化を抑制しつつ、左右方向に水分吸着部３０を大きくすることができる。また、水分吸着部３０を流路部３と流路部４とに連通可能な位置に配置することによって、流路部３および４に流通する空気の水分を調整することができる。
【００６６】
また、本実施形態では、水分吸着部３０を、ケース本体１の左右方向に延びるように形成する。これにより、ケース本体１の左右方向の広範囲で、流路部３および４に流通する空気の水分を調整することができる。
【００６７】
また、本実施形態では、断面において矩形形状を有する水分吸着部３０に、孔部６ｃに配置された状態で、断熱壁６ｂと水分吸着部３０との隙間に位置するように仕切り部３５を設ける。これにより、断面において矩形形状の水分吸着部３０を回転させることによって必然的に生じる水分吸着部３０と断熱壁６ｂとの隙間を、仕切り部３５により塞ぐことができる。これにより、流路部４および流路部３を流通する空気が、流路部３側および流路部４側にそれぞれ漏れ出ることに起因して各々を流通する空気が混合されるのを抑制することができるので、流路部３および流路部４の気密性を向上させることができる。この結果、水分吸着部３０における水分の吸着および水分の除去の性能（除湿性能）を向上させることができる。また、一対の仕切り部３５を水分吸着部３０に設けることによって、断熱壁６ｂに仕切り部を設ける場合と比べて、一対の仕切り部３５が水分吸着部３０に接触するのを抑制することができる。これにより、水分吸着部３０が磨耗するのを抑制することができる
【００６８】
また、本実施形態では、仕切り部３５ａおよび３５ｂを、水分吸着部３０において、流路部３１の流入口３１ａ側および流出口３１ｂ側で、流路部３１の延びる上下方向（Ｚ方向）と略同じ方向にそれぞれ延びるように設ける。このように構成すれば、流路部３１の流入口３１ａ側の仕切り部３５ａにより、流路部３１の流入口３１ａに混合された空気が流入するのを抑制することができるとともに、流路部３１の流出口３１ｂ側の仕切り部３５ｂにより、流路部３１の流出口３１ｂから流出した空気が混合されるのを抑制することができる。また、仕切り部３５（３５ａおよび３５ｂ）を流路部３１の延びる上下方向と略同じ方向に延びるように設けることによって、仕切り部３５により流路部３１を流通する空気の流れが阻害されるのを抑制することができる。
【００６９】
また、本実施形態では、水分吸着部３０が回転軸線Ａ周りに回転することによって、第１流路部３１の連通先と第２流路部３１の連通先とが切り替わるように構成する。さらに、仕切り部３５（３５ａおよび３５ｂ）を、境界部３２ａに沿って左右方向（Ｙ方向）に延びるように設ける。これにより、仕切り部３５により水分吸着部３０と断熱壁６ｂとの隙間を塞ぎつつ、第１流路部３７および第２流路部３８において連通先（流路部３または流路部４）を各々切り替えることができる。これにより、空気が混合されるのを抑制しつつ、流路部３と連通した際に吸着された水分を、流路部４と連通した際に除去することができる。
【００７０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７１】
たとえば、上記実施形態では、１つの水分吸着部３０を、流路部３および４が形成されている左右方向の領域の略全体に亘って、左右方向に延びるように形成した例について示したが、本発明はこれに限られない。本発明では、水分吸着部を左右方向に延びる回転軸線に沿って複数設けてもよい。この際、複数の水分吸着部を複数の蒸発器が形成されている位置にのみ設けてもよい。
【００７２】
また、上記実施形態では、水分吸着部３０が上下方向と直交する断面において略正方形形状（矩形形状）を有する例を示したが、本発明はこれに限られない。本発明では、水分吸着部は、上下方向と直交する断面において矩形形状を有していなくてもよい。たとえば、水分吸着部は、断面において円形状を有していてもよい。この場合、水分吸着部が配置される断熱壁の孔部の内径と略等しい直径を有する円形状である場合には、仕切り部を設けなくてもよい。
【００７３】
また、上記実施形態では、仕切り部３５ａを水分吸着部３０の下流側（上側）に設け、仕切り部３５ｂを上流側（下側）に設けた例について示したが、本発明はこれに限られない。本発明では、仕切り部を水分吸着部の下流側または上流側のいずれか一方にのみ設けてもよい。この場合、仕切り部を水分吸着部の下流側に設ける方が、蒸発器での結露などを抑制することができるので好ましい。
【００７４】
また、上記実施形態では、水分吸着部３０を陳列棚２の後側に設けた例について示したが、本発明はこれに限られない。本発明では、たとえば、水分吸着部をケース本体の下部に設けてもよい。この場合、ケース本体が上下方向に大きくなるのを抑制することが可能である。
【００７５】
また、上記実施形態では、仕切り部３５ａの水分吸着部３０とは反対側の端部と、仕切り部３５ｂの水分吸着部３０とは反対側の端部との上下方向の距離Ｌ４を、断面において略正方形形状の水分吸着部３０の対角線の長さＬ２と略同じにした例について示したが、本発明はこれに限られない。本発明では、距離Ｌ４は長さＬ２よりも小さくてもよい。また、距離Ｌ４は長さＬ２よりも大きくてもよい。この際、仕切り部と断熱壁とが接触しないことが好ましい。
【符号の説明】
【００７６】
１  ケース本体
２  陳列棚
３  流路部（蒸発器側流路部）
４  流路部（凝縮器側流路部）
６ｂ  断熱壁（壁部）
６ｃ  孔部
１２  凝縮器
２１  蒸発器
３０  水分吸着部
３１  流路部
３１ａ  流入口
３１ｂ  流出口
３２ａ  境界部
３５  仕切り部
１００  ショーケース
Ａ  回転軸線
【図１】
2015205129.tif 000003
【図２】
2015205129.tif 000004
【図３】
2015205129.tif 000005
【図４】
2015205129.tif 000006
【図５】
2015205129.tif 000007